(57)【要約】【課題】煙式火災警報器において、検知部を収容する防虫カバーの汚れや、破損などの異常を自動的に検知して報知する。【解決手段】煙センサ１１ａ、１１ｂを、防虫カバー１９の内方に収容した煙式火災警報器１において、防虫カバー１９は、通気孔１９ａが形成され、絶縁物で構成された防虫壁１９ｂに第１、第２の電極２０ａ、２０ｂを設けて構成されており、第１、第２の電極２０ａ、２０ｂ間に測定用電圧を印加して容量を測定する測定部１７ａと、測定部１７ａを所定の周期で作動させて、計測した容量が基準値から所定量変動したときには異常警報を出力させる制御部１８とを備える。【選択図】図１
2010102659.tif 000002
【特許請求の範囲】
【請求項１】
煙センサを、防虫カバーの内方に収容した煙式火災警報器において、
前記防虫カバーは、通気孔が形成され、絶縁物で構成された防虫壁に第１、第２の電極を設けて構成されており、
前記第１、第２の電極間に測定用電圧を印加して前記容量を測定する測定部と、
前記測定部を所定の周期で作動させて、計測した容量が基準値から所定量変動したときには異常警報を出力させる制御部とを備えた火災警報器。
【請求項２】
請求項１において、
前記第１、第２の電極は、前記防虫壁の同一面に配置されている火災警報器。
【請求項３】
請求項１において、
前記第１、第２の電極のそれぞれは、前記防虫壁の異なる面に配置されている火災警報器。
【請求項４】
前記第１、第２の電極は、複数組設けられており、
前記制御部は、前記複数組のそれぞれによって計測した容量のうち、一部が前記基準値から所定量変動し、かつ一部は所定量変動していない場合にのみ、前記異常警報を出力させる火災警報器。
【発明の詳細な説明】
【技術分野】
【０００１】
本発明は、住宅用の煙式火災警報器の改良に関する。
【背景技術】
【０００２】
従来、住宅用の煙式火災警報器では、次の特許文献１に記載されているように、通気性を有する検知部の内部に虫が侵入しないように、防虫網でカバーした構成になっている。
【特許文献１】特開2005-174000号公報
【発明の開示】
【発明が解決しようとする課題】
【０００３】
しかしながら、そのような防虫網を設けた構成では、警報器を使用している間に、その網目に虫の死骸あるいは埃等が堆積して通気を阻害するようになり、煙検知の感度が低下していくことが考えられる。そのため、定期的に点検あるいは試験する必要があるが、使用者にとって煩わしいことなので、防虫網が汚れていても長期間放置してしまう場合もある。そこで、本発明は、防虫カバーの汚れを自動的に検知して、汚れていれば警報により報知する機能を有した警報器を提案する。
【課題を解決するための手段】
【０００４】
本発明による火災警報器は、煙センサを、通気孔が形成された防虫カバーの内方に収容した煙式火災警報器において、前記防虫カバーは、通気孔が形成され、絶縁物で構成された防虫壁に第１、第２の電極を設けて構成されており、前記第１、第２の電極間に測定用電圧を印加して前記容量を測定する測定部と、前記測定部を所定の周期で作動させて、計測した容量が基準値から所定量変動したときには異常警報を出力させる制御部とを備える。
【０００５】
なお、前記第１、第２の電極の双方は、前記防虫壁の同一面に配置されていてもよい。あるいは、前記第１、第２の電極のそれぞれは、前記防虫壁の異なる面に配置されていてもよい。
【０００６】
また、前記第１、第２の電極は、複数組設けられており、前記制御部は、前記複数組のそれぞれによって計測した容量のうち、一部が前記基準値から所定量変動し、かつ一部は所定量変動していない場合にのみ、前記異常警報を出力させる構成としてもよい。
【発明の効果】
【０００７】
本発明よれば、火災警報器は、防虫カバーの汚れを自動的に検知して異常警報を出力するので、防虫カバーが汚れたまま長期間放置される虞がなくなる。
【０００８】
また、第１、第２の電極を複数組設けた構成では、炊事による湯気等に対して異常警報が出力されなくなるため、煩わしさが解消される。
【発明を実施するための最良の形態】
【０００９】
本発明は、火災の煙を検知すると火災警報を出力する住宅用の煙式火災警報器に適用できる。
【００１０】
ここに図１は実施例の概略回路構成を示した機能ブロック図、図２は実施例の構造を示した分解図である。
【００１１】
警報器１は、火災の煙を検出する検知部１１と、スピーカ１２から火災警報を音声出力すると共に表示灯１３を点灯させる出力部１４と、警報停止等の操作を受け付ける操作部１５と、検知部１１、出力部１４、電源電池１６の異常を自己診断する試験部１７と、これらの各部を制御する制御部１８と、電源電池１６とを備えている。
【００１２】
出力部１４、操作部１５、試験部１７、制御部１８を搭載した図示しない回路基板は、本体カバー２に収容されており、この回路基板に検知部１１が取り付けられている。なお、１２ａは、スピーカ１２のための通音孔、１５ａ、１５ｂは、それぞれ操作部１５を構成する押釦と引紐である。
【００１３】
検知部１１は、通気を許容しつつ遮光するラビリンス壁１１ｃで囲まれた検知室の内部に、煙センサを構成する、例えば発光ダイオードからなる発光部１１ａと、ホトダイオードからなる受光部１１ｂとを適宜配置した構造で、所定の周期で発光部１１ａから検知室内に光を照射し、検知室内に侵入した煙粒子による反射光を受光部１１ｂで光電変換し検知信号として出力する仕組みである。
【００１４】
防虫カバー１９は、検知部１１への虫の侵入を防止するためのもので、通気孔１９ａが形成され、絶縁物からなる防虫壁１９ｂに第１、第２の電極２０ａ、２０ｂを設けて構成されている。第１、第２の電極２０ａ、２０ｂは、防虫壁１９ｂを絶縁体として容量を形成している。防虫カバー１９は、更に、検知部１１を衝撃から保護するための保護カバー２１に収容されている。
【００１５】
図３、図４は、第１、第２の電極２０ａ、２０ｂの具体例を示した防虫壁１９ｂの部分拡大図である。
【００１６】
図３の例では、第１、第２の電極２０ａ、２０ｂは、概ね通気孔１９ａの３個分の間隔で、防虫壁１９ｂの同一面に平行線状に配置されている。一方、図４の例では、第１、第２の電極２０ａ、２０ｂは、概ね通気孔１９ａの１個分の間隔で、防虫壁１９ｂの同一面に、相互に噛み合った櫛歯状に配置されている。
【００１７】
第１、第２の電極２０ａ、２０ｂは、防虫壁１９ｂに細い金属線あるいは金属箔を貼着したものでもよい。また、導電性の塗料を印刷したものでもよい。
【００１８】
第１、第２の電極２０ａ、２０ｂには、測定用電圧を印加して、第１、第２の電極２０ａ、２０ｂ間の静電容量を測定する静電容量測定部１７ａと、電源電池１６とが接続されている。なお、この静電容量測定部１７ａは、試験部１７の回路の一部を構成している。制御部１８は、所定の周期で、警報器１の自己診断を行うが、その際には、静電容量測定部１７ａを作動させて、第１、第２の電極２０ａ、２０ｂ間の静電容量を計測し、計測した静電容量が基準値から所定量変動したときには異常警報を出力させる。
【００１９】
異常警報は、静電容量が基準値から所定量大きくなる方に変動すれば汚れ警報とし、基準値から所定量小さくなる方に変動すれば、汚れ警報、故障警報（防虫壁１９ｂの一部が破損）としてもよい。
【００２０】
なお、基準値は、製造段階で予め設定しておいてもよいが、警報器１の施工時に、所定の操作によって第１、第２の電極２０ａ、２０ｂの静電容量を測定するようにし、その測定値に基づいて適切な値を自動的に算出して図示しない記憶部に登録する構成としてもよい。
【００２１】
図５は、第１、第２の電極２０ａ、２０ｂの他の構成例を上方から見た模式図である。この例では、防虫壁１９ｂの表裏のそれぞれの面全体に、導電性の網部材（金属網）からなる第１、第２の電極２０ａ、２０ｂを配置している。すなわち、第１、第２の電極２０ａ、２０ｂのそれぞれは、防虫壁１９ｂの異なる面に配置されている。
【００２２】
図６は、第１、第２の電極２０ａ、２０ｂの更に他の構成例を上方から見た模式図である。この例は、図５の例と類似しているが、第１、第２の電極２０ａ、２０ｂは、４組に区分され、それぞれ異なる領域に配置されている。この例では、制御部１８は、第１、第２の電極２０ａ、２０ｂの複数組のそれぞれによって計測した容量のうち、一部が基準値から所定量変動し、かつ一部は基準値から所定量変動していない場合にのみ、異常警報を出力させる。
【００２３】
これは、水蒸気等の水滴によって静電容量が変化している場合には、第１、第２の電極２０ａ、２０ｂのすべての組でほぼ均等に静電容量が変化するのに対して、虫の死骸、埃等が堆積している場合には、特定の組のみ静電容量が変化することに着目し、これらを区別するようにしたものである。このようにすれば、炊事による湯気等に対して異常警報が出力されなくなるため、煩わしさが解消される。
【００２４】
次いで、警報器１の基本動作を説明する。制御部１８は、図示しないタイマ等を参照することで、火災検知のタイミングであるか否かを判断し、火災検知のタイミングであれば、検知部１１を作動させて火災検知を行う。また同様に、自己診断のタイミングであれば、試験部１７を作動させて自己診断を行う。
【００２５】
そして、火災検知の結果、検知信号として検知した煙濃度が所定の閾値を上回っていれば、火災と判断して、スピーカ１２から火災警報を音声出力すると共に表示灯１３を点灯させ、その後、火災警報を出力している間に、操作部１５で警報停止操作を受け付けると、所定時間火災警報を停止し、かつ表示灯１３を消灯させる。
【００２６】
また、自己診断の結果、検知部１１や電源電池１６の異常を検知すれば、検知した異常に対応した異常警報をスピーカ１２から音声出力すると共に表示灯１３を点滅させる。例えば、防虫カバー１９の汚れを検知したときには、「防虫カバーが汚れています。点検して下さい」のような異常警報を、電源電池１６の異常を検知したときには、「電池が消耗しています。交換して下さい」のような異常警報を出力する。異常警報は、その後、定期的に出力させてもよい。その後、異常警報の原因が除かれ、復旧操作がなされると、異常警報の出力を停止させる。
【００２７】
図７は、上記基本動作を示したフローチャート（Ｓ１０１〜Ｓ１１０）である。なお、例えば、火災検知のタイミング（Ｓ１０１）は、例えば２秒毎に１回、自己診断のタイミング（Ｓ１０７）は、２４時間毎に１回というようにしてもよい。
【図面の簡単な説明】
【００２８】
【図１】実施例の概略回路構成を示した機能ブロック図である。
【図２】実施例の構造を示した分解図である。
【図３】第１、第２の電極の具体例を示した防虫壁の部分拡大図である。
【図４】第１、第２の電極の他の具体例を示した防虫壁の部分拡大図である。
【図５】第１、第２の電極の他の構成例を上方から見た模式図である。
【図６】第１、第２の電極の他の構成例を上方から見た模式図である。
【図７】実施例の基本動作を示したフローチャートである。
【符号の説明】
【００２９】
１              警報器
１１ａ、１１ｂ  煙センサ
１７ａ          測定部
１８            制御部
１９            防虫カバー
１９ａ          通気孔
１９ｂ          防虫壁
２０ａ          第１の電極
２０ｂ          第２の電極
【図１】
2010102659.tif 000003
【図２】
2010102659.tif 000004
【図３】
2010102659.tif 000005
【図４】
2010102659.tif 000006
【図５】
2010102659.tif 000007
【図６】
2010102659.tif 000008
【図７】
2010102659.tif 000009